(57)【要約】【課題】書類を綴じ込むリングファイルが、綴じ込んだ書類がリング内できちんと積み重ねられて、書類の次ぎ足しが容易なファイルであること。【解決手段】書類Ａを綴じ込むファイルが両開きの第一芯金１ａと第二芯金１ｂとでなるファイルで、樹脂成形品で両端に穴２を開口してなる芯止めバンド３の片端の穴２を第一芯金１ａに貫通係止し、他方の穴２はスリット２ａ付きにし、この穴２が第二芯金１ｂに堅嵌め差し込みを自在でなる芯止めバンド３を第一芯金１ａに装着したバンド付きリングファイルにし、第二芯金１ｂに綴じ込んだ書類Ａをこのバンドで押さえ付けて書類Ａの遊びを止める事の出来る構成にする。【選択図】図１
2006281754.tif 000002
【特許請求の範囲】
【請求項１】
書類（Ａ）を綴じ込むファイルが両開きの第一芯金（１ａ）と第二芯金（１ｂ）とでなる一対のリング体（１）付きでのベース（Ｂ）をファイル中央の折込み部（Ｃ）に設けたリングファイルに於いて、両端に穴（２）を開口してなる芯止めバンド（３）の片方の穴（２）を第一芯金（１ａ）に貫通係止し、他方の穴（２）はスリット（２ａ）付きとし、この穴（２）が第二芯金（１ｂ）に堅嵌め差し込み自在でなる芯止めバンド（３）を装備した事を特徴とするバンド付きリングファイル。
【請求項２】
上記する芯止めバンド（３）の片方の穴（２）を第一芯金（１ａ）に貫通係止し、他方の端部（３ａ）をフラットにした芯止めバンド（３）にし、リング体（１）に綴じ込んだ書類（Ａ）の中間取り出し頁に芯止めバンド（３）の端部（３ａ）を差し込み自在にした事を徴特徴とする請求項１記載のバンド付きリングファイル。
【発明の詳細な説明】
【技術分野】
【０００１】本発明は、書類を綴じ込み管理するための文具でのリングファイルの改良に関する。
更に詳しくは、これらに差し込まれた書類のファイル綴じ込み内でのバラケを止め且つ中間取り出し書類頁のインデックス用のバンドを装備したリングファイルに関する。
【背景技術】
【０００２】此の種の従来の技術として図４で述べるように書類Ａを綴じ込むファイルは中央の折り込み部Ｃに設けた一対のリング体１付きでのベースＢが装着したリングファイルが多重枚数の書類綴じとして書類の管理に使われる。【０００３】此れらの一対でなる金属製棒状のリング体１は長細形状のベースＢに組み込まれ折り込み部Ｃに装着されて２面の表紙Ｄでカバーされるが、ベースＢ面上に飛び出す半円形状のリング体１は頂部が２分割開口可能で第一芯金１ａと第二芯金１ｂとの端子１ｃの双方が弾発力にて閉成し、解放力にて双方が開成する構成である。【０００４】該開閉自在に開口する第一芯金１ａと第二芯金１ｂのそれぞれの端子１ｃは、外力に依って広範囲に所定の角度に弾発力の助勢で開口し、それぞれの芯金の端子１ｃが外向きに回動保持することで書類Ａを第二芯金１ｂの端子１ｃから次々に差し込むことが出来る。【０００５】そして第二芯金１ｂに次々に差し込まられた書類Ａが其の芯金の端子１ｃからはみ出すまでを限度に差し込まれて片方の第一芯金１ａの端子１ｃとの双方が弾発力接合状態で閉じられる事になる。【０００６】此れらの第二芯金１ｂに差し込まれた書類Ａは２面の表紙Ｄの折り畳みでカバーされる事で双方の芯金の端子１ｃが書類Ａの綴じ穴の中を移動して其の書類Ａの多重厚みの中間部に紛れ込まれた移動位置で書類Ａはリング体１にファイルされる。
【発明の開示】
【発明が解決しようとする課題】
【０００７】しかしながら上記する従来技術でのリングファイルは２枚折りの紙質やプラスチック板質での表紙Ｄを開いてリング体１を構成し両開する第二芯金１ｂの端子１Ｃに次々と書類Ａを差し込み双方の芯金を閉じ、リング体１に差し込まれた書類Ａは管理されたファイルの使用時に綴じ込められた書類Ａの最終頁がリング体１での第二芯金から第一芯金１ａに移る等で双方の芯金を両開きするのに第一芯金１ａにずれ込んだ書類Ａの頁を移動させてから双方の芯金を開かない限り第二芯金１ｂに頁の積み重ねが出来ない等の課題がある。【０００８】此のように第二芯金１ｂの端子１ｃの書類Ａの差し込み出し入れ口近くまで書類Ａ頁が増えるに従ってファイル表紙Ｄを閉じた時点に頁が必然的に第一芯金１ｂに押し出されて移動してしまうことになり、書類Ａ差し込み時に表紙Ｄを開いた時既に芯金双方の端子１ｃが書類Ａの中間に移動してしまい差し込み口が定まらないと言うことである。【０００９】そして又、リング体１に綴じ込まれた書類Ａから中間抜き取り使用後に頁を差し戻すのに抜き取った頁を開けっ放しにしたり、其の取り出し頁を折り曲げなどし見出しをつけない限り中間抜き取り差し戻しに不便をきたす等の課題がる。
【課題を解決するための手段】
【００１０】此の発明はかかる課題を解決するために、請求項１での発明は図１、図２で述べる様に、書類Ａを綴じ込むリングファイルでの一対でなるリング体１を構成する両開き自在の第一芯金１ａと第二芯金１ｂの、片方の第一芯金１ａに差し込み係止する、芯止めバンド３を装着しての対応とするが、此の芯止めバンド３は成形品での両端に穴２を開口してなり、第一芯金１ａにはゆるみ脱落しない程度の穴２を開口して、他方の端に設ける穴２は書類Ａの差し込まれる第二芯金１ｂに差し込み自在にするための、スリット２ａ付きで穴２にすることで双方の芯金が閉成体に綴じたままで書類Ａの最終頁に差し込みが出来、綴じ込んだ書類Ａの穴部に差し込みホールドすることで頁のばらつき移動を止める構成である。【００１１】そして此れらの芯止めバンド３は一対で成るリング体１を構成するそれぞれの第一芯金１ａに固めに差し込み常時装着され、他端に開口する穴２は書類Ａの差し込まれた第二芯金１ｂに適時スリット２ａより差し込み出し入れを自在にするが、やや固めにその芯金に嵌合する。【００１２】次に請求項２の発明は、図３で述べる様に成形品での芯止めバンド３の片方の穴２を前記と同じように第一芯金１ａに差し込み係止し、他方の端部３ａはフラットにした芯止めバンド３の構成である。【００１３】そして此れらの芯止めバンド３はリング体１に綴じ込んだ書類Ａの中間取り出し頁に、芯止めバンド３の端部３ａを差し込み自在にして、引き抜いた頁のインデックス用に使用可能にしたもので、中間から抜き取った頁は、迷うことなく差し込んだバンド３の端部３ａを抜きだして其の抜き出し部に頁を綴じ込む事の出来る構成である。
【特許の効果】
【００１４】本発明は上述の通り構成作用するので次の優れた効果を奏する。
即ち第１実施例で述べるように、リング体１でのそれぞれの第一芯金１ａに装着する芯止めバンド３の端に設けたスリット２ａ付きでの穴２を、第二芯金１ｂに綴じ込んだ書類Ａをスリット２ａを後差しで押さえ付けて書類Ａの遊びやばらつきと移動をホールドの出来るバンド付きリングファイルを提供できる。
【００１５】そして又、第二実施例では、綴じた書類Ａの中間取り出し後の差し戻しが同じ頁に即座に出来るインデックス役目の芯止めバンド３の装着したバンド付きリングファイルを提供出来る。
【発明を実施するための最良の形態】
【００１６】以下図示の実施例に基づいて本発明を更に詳細に説明する。
即ち図１、図２は本発明での第１実施例での要部での斜視図であるが、図１述べる様に厚紙または薄板状のプラスチックの表紙Ｄの中央部でコの字の折り込み部Ｃに設けた一対のリング体１付きでのベースＢを固着しての構成である。【００１７】此れらのリング体１は、主に金属製でのベースＢに組み込まれた一対で構成するが、金属材での此のベースＢ面上に飛び出す半円形状のリング体１で、２分割可能な第一芯金１ａと第二芯金１ｂとの、頂部の端子１ｃの双方が弾発力にて閉成し、解放力にて双方の端子１ｃがそれぞれ矢印方向に解放する構成である。【００１８】此のような一般的なリングファイルの第一芯金１ａに、両端に穴２を開口してなる芯止めバンド３の片方の穴２を固めに差し込み貫通係止しするが、此れらの芯止めバンド３は他方の穴２が、スリット２ａ付きとし、此のスリット２ａ付き穴２は書類Ａの綴じ込む第二芯金１ｂにスリット２ａから無理嵌めにて穴２に差し込まれ綴じた書類Ａ紙面をホールドする構成である。【００１９】此のように、新設する芯止めバンド３は本実施例では成形品での穴２の開口する両端は細い紐状で中継されて、常時第一芯金１ａに芯止めバンド３の片方の穴２がやや固めに装着されて、頻繁に第二芯金１ｂに出し入れする片方の端に設けた穴２が折り曲げ自在に構成することが望ましいが、特に此の形状を特定するものでなく、ポリプロピレン樹脂の板状フラット形状での片端に穴２そして他方の片端でのスリット付き穴２でもよい。【００２０】即ち、芯止めバンド３は片端が第一芯金１ａに装着し、片端の穴２は綴じられた書類Ａの第二芯金１ｂにスリット２ａを介して差し込み自在で有ることの構成をねらいとする。【００２１】次ぎに図３は本発明での第２実施例に基づく要部での斜視図で、芯止めバンド３は一枚のポリエチレン板材でのプレス抜き加工での片端に穴２を開口し、他方の端部３ａはフラッットな面で構成するが、芯止めバンド３での穴２は第一芯金１ａにやや固めに常時差し込まれ装着される。【００２２】そして、第一芯金１ａに具備する芯止めバンド３の他方のフリーなフラットな端部３ａは第二芯金１ｂに綴じ込められた書類Ａの中間から抜き取り、再度同じ所に差し込み易くする為に端部３ａを見出しとしてインデックス式或いはしおり風に差し込み取り出しを自在にすることで、綴じた書類Ａの中間の抜き取り差し戻しを容易にした構成である。【００２３】此れらの芯止めバンド３は本実施例では、双方の第一芯金１ａに各１枚装着するが、装着枚数は特定するものでなく、装着枚数に依って見出し数を増やす事が出来る。【００２４】又前記する第１実施例と第２実施例とをそれぞれ合体組み合わせでの使用例の拡大での実施例での図示を省略するが、それぞれ単独での用途に本発明は特定するものでない。
【図面の簡単な説明】
【００２５】
【図１】本発明の第１実施例での要部での斜視図である。
【図２】本発明の第１実施例での使用状態での要部斜視図である。
【図３】本発明の第２実施例での使用状態での要部斜視図である。
【図４】従来例での書類綴じ込み使用状態での要部斜視図である。
【符号の説明】
【００２６】１    リング体
１ａ  第一芯金
１ｂ  第二芯金
１ｃ  端子
２    穴
２ａ  スリット
３    芯止めバンド
３ａ  端部
Ａ    書類
Ｂ    ベース
Ｃ    折り返み部
【図１】
2006281754.tif 000003
【図２】
2006281754.tif 000004
【図３】
2006281754.tif 000005
【図４】
2006281754.tif 000006